(57)【要約】      （修正有）【課題】充分な軽量化を行うことにより、取り扱いの利便性を高め、材料の使用量を節減してコストダウンを図ることが可能であり、その一方で、接続部の基部の強度と、上下方向の圧縮強度とを充分に確保し得る基礎パッキンを提供する。【解決手段】長辺方向に伸びた一対の基体２０と、一対の基体を短辺方向に接続する接続部１１とから構成され、接続部は、それぞれの基体の長辺内側面から他方の基体の長辺内側面へ向けて突出するように、基体と一体的に形成された接続突部２１からなり、それぞれの基体の接続突部を互いに接続することにより、一対の基体を接続可能なように構成され、基体の長辺外側面には、上下方向に貫通した複数の溝が形成され、基体の長辺内側面のうち、接続部の基部以外の部分には、当該基体の長辺内側面から長辺外側面へ向かう複数の有底横孔２９が形成されている基礎パッキン１０。【選択図】図１
2005290906.tif 000002
【特許請求の範囲】
【請求項１】
基礎と土台との間に設けられ、所定の厚さを有する矩形板状の基礎パッキンであって、
長辺方向に伸びた一対の基体と、前記一対の基体を短辺方向に接続する接続部とから構成され、
前記接続部は、それぞれの前記基体の長辺内側面から当該基体に対向する他方の基体の長辺内側面へ向けて突出するように、前記基体と一体的に形成された接続突部からなり、それぞれの前記基体の接続突部を互いに接続することにより、前記一対の基体を接続することができるように構成され、
前記基体の長辺外側面には、上下方向に貫通した複数の溝が形成され、
前記基体の長辺内側面のうち、前記接続部の基部以外の部分には、当該基体の長辺内側面から長辺外側面へ向かう複数の有底横孔が形成されていることを特徴とする基礎パッキン。
【請求項２】
前記基体における前記接続部の基部であり、かつ、前記有底横孔が形成されていない部分では、当該基体の上面又は下面に有底縦孔が形成されている請求項１に記載の基礎パッキン。
【請求項３】
前記接続部は、それぞれの前記基体の接続突部を上下方向又は左右方向に嵌め合うことにより、前記一対の基体を接続することができるように構成されている請求項１又は２に記載の基礎パッキン。
【請求項４】
前記基体の上面及び下面における内側の領域には、当該基体の長辺方向に伸びた気密用弾性材が設けられている請求項１〜３のいずれか１に記載の基礎パッキン。
【請求項５】
前記基体の上面及び下面における内側の領域には、凹部が形成されており、
前記気密用弾性材は、前記凹部に設けられている請求項４に記載の基礎パッキン。
【請求項６】
建造物の布基礎と木製土台との間の全周域を覆うように設けられる基礎パッキンであり、かつ、前記建造物の外部空間と内部空間との通気を遮蔽する遮蔽型の基礎パッキンとして用いられる請求項１〜５に記載の基礎パッキン。
【発明の詳細な説明】
【技術分野】
【０００１】
この発明は、基礎と土台との間に設けられる基礎パッキンに関する。特に、布基礎と木製土台との間に設けられる基礎パッキンに関する。
【背景技術】
【０００２】
木造住宅等の建造物を建築する手法としては、例えば、建物を建てるべき部位の外殻部や内殻部にコンクリート製の基礎を作り、その上に木材の土台を固定して木製土台の上に柱を立て、柱の上に梁を載せるという手法がある。このような手法は、伝統的な日本建築の手法であり、木造住宅の建築において広く採用されている。
【０００３】
コンクリート基礎（布基礎）は、セメント、砂、水を混合して流動状にして予め組み立てた型枠に流し込み、数日放置して固化したものであるため、コンクリート基礎は水分を大量に含んでいる。従って、木製土台がコンクリート基礎に接触していると、木製土台はコンクリート基礎の水分を吸って湿り乾燥しにくくなるという問題があった。また、コンクリート基礎と木製土台との間には隙間がないので、両者の間から換気するということができないのであるが、木造住宅においては、床下の換気を行う必要があるため、一般的に、コンクリート基礎の適当な部位に、例えば、縦２００ｍｍ×横４００ｍｍ程度の換気穴を形成するということが行われていた。しかし、コンクリート基礎には木造住宅の荷重等に耐え得るだけの充分な強度が必要であるため、このような大きな換気穴を多数形成することは困難であり、形成可能な換気穴の数には制限があった。そのため、床下空間の換気穴から遠い隅部には湿気が滞留し易いという問題があった。
【０００４】
このような理由により、従来の木造住宅の床下は、換気を充分に行うことができず湿気がこもり易く、木製土台は、床下の湿気とコンクリート基礎の水分とを吸収して常に湿った状態にあった。そのため、長年の間に土台が腐朽してしまうという問題があった。また、床下においてシロアリの繁殖に好適な湿気と温度とが保たれてしまい、シロアリによって土台が喰い荒らされるという問題もあった。また、換気が悪いとシロアリの他に腐朽菌が土台や柱に繁殖し、土台や柱を腐朽させるという問題もあった。さらに、コンクリート基礎に換気穴を形成すると、木造住宅の荷重等によって、換気穴の隅部からコンクリート基礎に亀裂が入ってしまうという問題もあった。
【０００５】
このような問題を解決するために創案されたものが基礎パッキンである。基礎パッキンは、基礎と土台との間に設けられるものであり、長い実績を保ち現在も数多く木造住宅の建設に用いられている。なお、本出願人の先願である特許文献１〜３に、基礎パッキンの形状や材質が詳しく述べられている。
【０００６】
従来の基礎パッキンの一例について、図面を用いて説明する。
図７は、従来の基礎パッキンの一例を模式的に示す斜視図である。
基礎パッキン１００は、前後辺にそれぞれ３つの窪み１０１を有し、長手方向端辺には突起１０２と窪み１０３とを有する。突起１０２と窪み１０３とは、雌雄嵌合可能な形状となっている。基礎パッキン１００の土台と接触する面には、通気のために長手方向に伸びた溝１０４が形成されている。また、基礎パッキン１００には、上下方向に貫通した穴１０５が形成されている。穴１０５は、コンクリート基礎から上方へ突出したアンカーボルトを挿通するためのものである。また、基礎パッキン１００は、長さＬが２００ｍｍ、幅Ｗが１００ｍｍ、高さＨが２０ｍｍ程度の大きさを有している。
【０００７】
一の基礎パッキン１００の突起１０２を、他の基礎パッキン１００の窪み１０３に嵌合すると、２枚の基礎パッキン１００を長手方向に結合することができる。また、一の基礎パッキン１００の突起１０２を、他の基礎パッキン１００の窪み１０１に嵌合すると、２枚の基礎パッキン１００をＴ字型に組み合わせることができる。このように、長手方向又は前後方向に基礎パッキン１００を繋ぎ合わせ、コンクリート基礎の面上に並べることができる。
【０００８】
このような基礎パッキンを、アンカーボルトが設けられた部分のコンクリート基礎の上面に載置する。コンクリート基礎の直角の隅部では、２枚の基礎パッキンをＴ字型又はＬ字型に組み合わせて載置する。コンクリート基礎の直線部では、基礎パッキンを１枚ずつ載置することもあるが、２枚の基礎パッキンを上述したように長手方向に結合して載置することもある。そして、基礎パッキンの上面に、アンカーボルトの通し穴を穿った土台用木材を載置し、アンカーボルトにナットを螺合させて緊締することにより、コンクリート基礎と基礎パッキンと木製土台とを固定することができる。勿論、単にコンクリート基礎の上面に基礎パッキンを載置するだけの部分もある。
【０００９】
通常、コンクリート基礎の上面の全周域を覆うように基礎パッキンを載置するのではなく、一定の間隔を空けて基礎パッキンを載置し、基礎パッキンが載置されていない部分の隙間（高さ２０ｍｍ程度）を換気穴として利用する。従って、基礎パッキンを用いることにより、コンクリート基礎に換気穴を形成する必要がなくなり、基礎工事を省力化することができ、コンクリート基礎の強度を充分に保つことができる。また、基礎パッキンによって木製土台の横滑りを防止して耐震性の高い構造とすることができる。さらに、水分を含むコンクリート基礎と木製土台との間に基礎パッキンが介装されるので木製土台に水分が浸潤しない。従って、木製土台の腐朽やシロアリの喰害を受け難く、木製土台の耐久性が向上して木造住宅の寿命が長くすることができる。
【００１０】
このように基礎パッキンを用いる工法は基礎パッキン工法と称される。基礎パッキン工法によれば、建造物の換気性を向上させ、木製土台の腐朽やシロアリの喰害を防止することができ、建造物は堅牢となり耐震性を高めることができる。また、施工が簡便となり省略化を図ることができるという利点もある。
【００１１】
近年では、基礎パッキンについて種々の工夫がなされており、その一つとして、長尺の基礎パッキンが存在する。長尺の基礎パッキンは、図７に示した基礎パッキン１００（以下、短尺の基礎パッキンともいう）に比べて、その長さが長く、例えば、長さＬが９００ｍｍ程度ある。長尺の基礎パッキンによれば、コンクリート基礎の上面の全周域を覆うように載置しても部品点数が増大してしまうということがない。
【００１２】
また、コンクリート基礎の上面の全周域を覆うように長尺の基礎パッキンを載置する場合、コンクリート基礎の上面に一定の間隔を空けて短尺の基礎パッキンを載置する場合と比べて、基礎パッキンの位置合わせが不要となる。従って、施工がより簡便となり、さらなる省力化を図ることができる。
【００１３】
また、コンクリート基礎の上面に一定の間隔を空けて短尺の基礎パッキンを載置する場合には、施工業者の技術力等によって、位置合わせの精度にばらつきが生じるおそれがあるが、コンクリート基礎の上面の全周域を覆うように長尺の基礎パッキンを載置する場合には、位置合わせの作業が不要となり、施工の質を均一化させることができる。
さらに、コンクリート基礎の上面の全周域を覆うように長尺の基礎パッキンを載置すると、木製土台の荷重が長尺の基礎パッキンの全域に均等に掛かることになるため、木製土台に撓み等が生じるおそれもない。
【００１４】
このように、コンクリート基礎の上面の全周域を覆うように長尺の基礎パッキンを載置する工法には、多くの利点があり、近年では広く用いられるようになっている。
図８は、コンクリート基礎の上面の全周域を覆うように長尺の基礎パッキンを載置した様子を模式的に示す斜視図である。図中、２００はコンクリート基礎、２０１及び２０２は部屋となる領域、２０３は玄関となる領域、３０２はアンカーボルトをそれぞれ示している。
【００１５】
図８に示すように、コンクリート基礎２００の上面には、その全周域を覆うように長尺の基礎パッキン３００、３０１が複数並べて載置されている。玄関となる領域２０３を囲うコンクリート基礎２００の上面には、通気用の貫通穴がその側面に形成されていない中実体の基礎パッキン（以下、遮蔽型の基礎パッキンともいう）３００が載置されている。
部屋となる領域２０１、２０２を囲うコンクリート基礎２００の上面には、通気用の貫通孔がその側面に形成されている基礎パッキン（以下、換気型の基礎パッキンともいう）３０１が載置されている。
【００１６】
図８に示したように、コンクリート基礎の上面の全周域を覆うように長尺の基礎パッキンを載置する工法を用いる場合には、通常、遮蔽型の基礎パッキンと換気型の基礎パッキンとの両方を使用する。これは、以下のような理由による。
すなわち、玄関となる領域２０３（図８参照）のように、床下がなくて室内空間と外部空間とが土台を介して両側で接する箇所（例えば、玄関、勝手口、土間部等）においては、基礎パッキンから通気させる必要はなく、通気させると却って室内空間の気密性が悪化して冷暖房効率が低下してしまうから、遮蔽型の基礎パッキンを使用しているのである。一方、他の箇所においては、換気型の基礎パッキンを使用することにより、基礎パッキン自体に換気穴としての機能を持たせているのである。
【００１７】
しかし、遮蔽型の基礎パッキンと換気型の基礎パッキンとの両方を、一つの建築現場で使用する場合、両者の重量差が大きいことから運搬時や施工時の取り扱いが不便であるという問題があり、より利便性に優れた基礎パッキンが要望されていた。このような要望に応えるべく、例えば、基体に中空が形成された遮蔽型の基礎パッキンが開示されている（例えば、特許文献４参照）。
【００１８】
次に、基体に中空が形成された遮蔽型の基礎パッキンについて図面を用いて説明する。
図９（ａ）は、特許文献４に開示されている基礎パッキンを示す平面図であり、（ｂ）は、（ａ）に示した基礎パッキンのＰ−Ｐ線断面図であり、（ｃ）は、（ｂ）に示した基礎パッキンのＱ−Ｑ線断面図であり、（ｄ）は、（ｂ）に示した基礎パッキンのＲ−Ｒ線断面図である。
【００１９】
基礎パッキン４００は、長手方向に２分割され、甲片４０１と乙片４０２とからなる。甲片４０１と乙片４０２とはよく似た長方形の板である。長手方向中央線に沿って分割されているからその部分に嵌合構造がある。
図９（ｃ）に示すように、前面４３３及び後面４３４には、縦溝４３０が多数形成されている。この縦溝４３０は、モルタルとの密着性を向上させてモルタルの剥離を防止するために形成されている。また、アンカーボルト通し穴４３２の半分ずつが甲片４０１及び乙片４０２のそれぞれに形成されている。甲片４０１及び乙片４０２のいずれも中空が形成され、当該中空に多数の平行の補強リブ４３９を有する。甲片４０１には、筒形状の受け片４３７が形成されており、一方、乙片４０２には、筒形状の差込片４３８が形成される。図９（ｄ）に示すように、差込片４３８を受け片４３７に水平方向に挿入することによって甲片４０１及び乙片４０２が接続される。基礎パッキン４００によれば、補強リブ４３９によって区画された中空が形成されているため、軽量化して通気型の基礎パッキンとの重量差を少なくするか、又は、重量差を無くすことができる。また、材料の使用量を節減してコストダウンを図ることもできる。
【００２０】
【特許文献１】実開昭５４−１８１７２１号公報
【特許文献２】実開昭５４−１８１７０８号公報
【特許文献３】特公昭５５−４０７３４号公報
【特許文献４】特開２００２−２７６０４２号公報
【発明の開示】
【発明が解決しようとする課題】
【００２１】
しかしながら、特許文献４に開示された基礎パッキンには、以下の点において改善の余地があった。すなわち、受け片４３７及び差込片４３８と、甲片４０１における受け片４３７の基部及び乙片４０２における差込片４３８の基部とには、甲片４０１及び乙片４０２の他の部分と同様に、補強リブ４３９によって区画された中空が形成されているため、受け片４３１及び差込片４３２の基部に割れや欠けが生じてしまうおそれがあり、接続部における基部の強度について改善の余地があった。
【００２２】
また、受け片４３７が形成された甲片４０１と、差込片４３８が形成された乙片４０２とには、その全域において一様に補強リブ４３９が配列されているため、荷重や振動、衝撃等によって座屈してしまうおそれがあり、上下方向の圧縮強度の点において改善の余地があった。なお、上下方向の圧縮強度を充分に確保するために、補強リブ４３９を厚くしたり、補強リブ４３９の数を増やしたりする方策を採り得るが、そのような方策を採った場合、軽量化して通気型の基礎パッキンとの重量差を減らすという目的を達成することができなくなる。
【００２３】
また、受け片４３７へ差込片４３８を挿入することによって、甲片４０１と乙片４０２とが水平方向に接続されるため、振動や衝撃によって甲片４０１と乙片４０２との接続が外れて横ズレが生じてしまうおそれがあり、甲片４０１と乙片４０２との接続強度の点において改善の余地があった。
【００２４】
本発明は、上述した点に鑑みてなされてものであり、その目的は、充分な軽量化を行うことにより、取り扱いの利便性を高め、材料の使用量を節減してコストダウンを図ることが可能であり、その一方で、接続部の基部の強度と、上下方向の圧縮強度とを充分に確保し得る基礎パッキンを提供することにある。さらに、本発明は、２分割された基礎パッキンを構成する各部材の接続強度を充分に確保し得る基礎パッキンを提供することを目的とする。
【課題を解決するための手段】
【００２５】
上述した課題を解決するために、本発明は、以下のようなものを提供する。
（１）基礎と土台との間に設けられ、所定の厚さを有する矩形板状の基礎パッキンであって、
長辺方向に伸びた一対の基体と、上記一対の基体を短辺方向に接続する接続部とから構成され、
上記接続部は、それぞれの上記基体の長辺内側面から当該基体に対向する他方の基体の長辺内側面へ向けて突出するように、上記基体と一体的に形成された接続突部からなり、それぞれの上記基体の接続突部を互いに接続することにより、上記一対の基体を接続することができるように構成され、
上記基体の長辺外側面には、上下方向に貫通した複数の溝が形成され、
上記基体の長辺内側面のうち、上記接続部の基部以外の部分には、当該基体の長辺内側面から長辺外側面へ向かう複数の有底横孔が形成されていることを特徴とする基礎パッキン。
【００２６】
（１）の発明によれば、基体の長辺内側面のうち、接続部の基部以外の部分には、基体の長辺内側面から長辺外側面へ向かう複数の有底横孔が形成されるため、充分な軽量化を図ることが可能である。従って、取り扱いの利便性を高め、材料の使用量を節減してコストダウンを図ることができる。その一方で、基体における接続部の基部には、有底横孔が形成されないため、上記接続部の基部の強度を充分に確保することができ、接続部の基部に割れや欠けが生じるおそれがない。
【００２７】
また、有底横孔は長辺内側面に形成されるため、基体の上面又は下面の面積を広く確保することができ、基礎又は土台との接触面積を広く確保して滑りや位置ズレ等を防止することができる。また、基体の長辺内側面に一様に有底横孔が形成されるのではなく、接続部の基部には有底横孔が形成されない構成を有するため、上下方向の圧縮強度を充分に確保することができ、荷重や振動、衝撃等によって座屈してしまうおそれがない。
なお、このように接続部の基部の強度と、上下方向の圧縮強度とを充分に確保し得る構成を有するから、多数の有底横孔を形成したり、大きな有底横孔を形成したりすることが可能であり、充分な軽量化を図ることができるのである。
さらに、基体の長辺外側面に、上下方向に貫通した複数の溝が形成されているため、モルタルとの密着性を向上させてモルタルの剥離を防止することができる。基体の長辺外側面に形成された複数の溝は、上下方向に貫通しているため、これらの複数の溝を介して、基礎上面に描かれた墨出し線を視認可能であり、基礎パッキンや土台の位置合わせを容易に行うことができる。
【００２８】
さらに、本発明は、以下のようなものを提供する。
（２）  上記（１）の基礎パッキンであって、
上記基体における上記接続部の基部であり、かつ、上記有底横孔が形成されていない部分では、当該基体の上面又は下面に有底縦孔が形成されていることを特徴とする。
【００２９】
（２）の発明によれば、基体における接続部の基部であり、かつ、上記有底横孔が形成されていない部分では、基体の上面又は下面に有底縦孔が形成されるため、さらなる軽量化を図ることが可能となる。また、基体における接続部の基部に有底縦孔が形成されても、基体と接続部との境界には、有底横孔又は有底縦孔が及ぶことはなく、当該境界が面状に保たれるため、接続部の基部の強度を充分に確保することができる。
また、基体には、その長辺内側面に有底横孔が形成される部分と、その上面又は下面に有底縦孔が形成される部分とが混在することになるため、基体の上面又は下面に有底縦孔が形成されても、基体に一様に有底孔が形成される場合と比べて上下方向の圧縮強度が低下することはない。
【００３０】
さらに、本発明は、以下のようなものを提供する。
（３）  上記（１）又は（２）の基礎パッキンであって、
上記接続部は、それぞれの上記基体の接続突部を上下方向又は左右方向に嵌め合うことにより、上記一対の基体を接続することができるように構成されていることを特徴とする。
【００３１】
（３）の発明によれば、接続突部を上下方向又は左右方向に嵌め合うことにより一対の基体を接続可能であるため、接続部の上部に載置される土台の荷重によって、互いの接続突部が堅固に接続されることになる。
また、上記接続部は、それぞれの上記基体の接続突部を上下方向に嵌め合うことにより、上記一対の基体を接続することができるように構成されていることが望ましい。一対の基体の接続強度を充分に確保することができ、振動や衝撃によって基体同士の接続が外れて横ズレが生じてしまうことを防止することができるからである。
【００３２】
さらに、本発明は、以下のようなものを提供する。
（４）  上記（１）〜（３）のいずれか１の基礎パッキンであって、
上記基体の上面及び下面における内側の領域には、当該基体の長辺方向に伸びた気密用弾性材が設けられていることを特徴とする。
【００３３】
（４）の発明によれば、気密用弾性体が設けられているため、外部空間と内部空間との間の通気を確実に防止することができる。従って、室内空間の気密性を確保して冷暖房効率の低下を防止することが可能になる。また、気密用弾性材が滑り止めとしての機能も有するため、より確実に横ズレを防止することができる。さらに、気密用弾性材は、基体の上面及び下面における内側の領域に設けられているため、万一、基礎パッキンに横ズレが生じたとしても、気密用弾性材と基礎又は土台との接触を確保することができ、外部空間と内部空間との間の通気を確実に防止することができる。
【００３４】
さらに、本発明は、以下のようなものを提供する。
（５）  上記（４）に記載の基礎パッキンであって、
上記基体の上面及び下面における内側の領域には、凹部が形成されており、
上記気密用弾性材は、上記凹部に設けられていることを特徴とする。
【００３５】
（５）の発明によれば、気密用弾性材は、基体の上面及び下面の内側の領域に形成された凹部に設けられているため、基体と基礎又は土台とによって気密用弾性材が経年的に圧縮されても、凹部によってその圧縮は緩和され、弾性力が保持されることになる。従って、長期的に外部空間と内部空間と間の通気を確実に防止することができる。また、凹部に気密用弾性材が設けられているため、気密用弾性材の位置ズレや剥離等を防止することができる。
【００３６】
さらに、本発明は、以下のようなものを提供する。
（６）  上記（１）〜（５）のいずれか１の基礎パッキンであって、
建造物の布基礎と木製土台との間の全周域を覆うように設けられる基礎パッキンであり、かつ、上記建造物の外部空間と内部空間との通気を遮蔽する遮蔽型の基礎パッキンとして用いられることを特徴とする。
【００３７】
（６）の発明によれば、充分な軽量化が図られているから、建造物の布基礎と木製土台との間の全周域を覆うように設けられる基礎パッキン、例えば、長尺の基礎パッキンとして好適である。また、基体を横方向に貫く貫通孔が形成されていないことから、建造物の外部空間と内部空間との通気を遮蔽する遮蔽型の基礎パッキンとして好適に用いることができる。
【発明の効果】
【００３８】
本発明によれば、充分な軽量化を行うことにより、取り扱いの利便性を高め、材料の使用量を節減してコストダウンを図ることが可能であり、その一方で、接続部の基部の強度と、上下方向の圧縮強度とを充分に確保し得る基礎パッキンを提供することができる。
【発明を実施するための最良の形態】
【００３９】
以下、本発明の実施形態について図面を用いて説明する。
勿論、本発明は、以下の実施形態に限定されるものではなく、本発明の構成を充足する範囲内で、適宜設計変更を行うことが可能である。
図１は、本発明の基礎パッキンの一例を模式的に示す斜視図である。図２は、図１に示した基礎パッキンをＡ方向（下面側）から見た様子を示す斜視図である。
【００４０】
基礎パッキン１０は、所定の厚さを有する矩形板状であり、長さ９１０ｍｍ、幅１２０ｍｍ、高さ２０ｍｍである。基礎パッキン１０は、長辺方向に伸びた一対の基体２０、４０と、一対の基体２０、４０を短辺方向に接続する接続部１１とから構成される。基体２０、４０は、それぞれ長さ９１０ｍｍ、幅３５ｍｍ、高さ２０ｍｍの四角柱形状を有している。基体２０、４０は、平行に配置されており、基体２０の長辺内側面２５と、基体４０の長辺内側面４５とは対向している。
【００４１】
接続部１１は、基体２０と一体的に形成された４つの接続突部２１と、基体４０と一体的に形成された４つの接続突部４１とからなる。接続突部２１と接続突部４１とは対向する位置に形成されて対をなしている。
【００４２】
基体２０、４０及び接続突部２１、４１によって囲まれた空間が、アンカーボルトを挿通するためのボルト挿通孔となる。当該ボルト挿通孔は、基礎パッキン１０を反転させた際に基礎パッキン１０の長辺方向の全域に及ぶような位置及び形状を有している。
【００４３】
接続突部２１は、基体２０の長辺内側面２５から基体４０の長辺内側面４５へ向けて５０ｍｍ突出するように形成されており、図２に示すように、断面視コ字状の樋形状を有している。
【００４４】
接続突部４１は、基体４０の長辺内側面４５から基体２０の長辺内側面２５へ向けて３２ｍｍ突出するように形成されている。接続突部４１は、接続突部２１と同様に断面視コ字状の樋形状を有しているが、接続突部２１より小さく、接続突部４１内へ接続突部２１を上下方向に嵌め込むことが可能な形状を有している。すなわち、接続部１１を構成する接続突部２１、４１は、互いに上下方向に嵌合可能な雌雄嵌合構造を有しているのである。図１、図２は、接続突部４１内へ接続突部２１を上下方向に嵌め込んだ様子を示している。なお、接続部１１の構造については、後で図面を用いて詳述することとする。
【００４５】
基体２０の長辺外側面２２には、上下方向に貫通した複数の溝２３が形成されている。また、基体４０の長辺外側面４２には、上下方向に貫通した複数の溝４３が形成されている。溝２３、４３は、深さ６ｍｍの蟻溝形状を有している。溝２３、４３によって、長辺外側面２２、４２に塗布されるモルタルの密着性を向上させてモルタルの剥離を防止することができる。また、溝２３、４３を介して、基礎（図示せず）に描かれた墨出し線が視認可能となるため、基礎パッキン１０や土台（図示せず）の位置合わせを容易に行うことができる。
【００４６】
図１に示すように、基体２０の長辺内側面２５のうち、接続部１１を構成する接続突部２１の基部３１以外の部分には、基体２０の長辺内側面２５から長辺外側面２２へ向かう複数の有底横孔２９が一定間隔をあけて形成されている。有底横孔２９は、四角柱形状を有しており、２つの接続突部２１の間に８個形成されている。
また、図２に示すように、基体４０の長辺内側面４５のうち、接続部１１を構成する接続突部４１の基部５１以外の部分には、基体４０の長辺内側面４５から長辺外側面４２へ向かう複数の有底横孔４９が一定間隔をあけて形成されている。有底横孔４９は、四角柱形状を有しており、２つの接続突部４１の間に１０個形成されている。
【００４７】
図２に示すように、基体２０の下面３０と、基体４０の下面５０とには、それぞれ複数の有底縦孔２８、４８が形成されている。
すなわち、基体２０における接続突部２１の基部３１（図１参照）であり、かつ、有底横孔２９（図１参照）が形成されていない部分では、基体２０の下面３０に３つの有底縦孔２８が形成されている（図２参照）。また、基体４０における接続突部４１の基部５１であり、かつ、有底横孔４９が形成されていない部分では、基体４０の下面５０に２つの有底縦孔が形成されている（図２参照）。有底縦孔２８、４８は、四角柱形状を有している。基体２０、４０の下面３０、５０に有底縦孔２８、４８が形成されているため、有底縦孔２８、４８内に水滴が溜まるということがない。また、上面２７、４７と土台（図示せず）との接触面積を広く確保して土台の滑りや横ズレを防止することができる。
【００４８】
上述したように、基体２０には、長辺方向に向けて、接続突部２１の基部３１と基部３１以外の部分とが交互に配置され、基部３１が位置する部分には複数の有底縦孔２８が形成され、基部３１以外の部分には複数の有底横孔２９が形成されている。有底孔の位置関係に着目すれば、基体２０では、長辺方向へ向けて、複数の有底縦孔２８が形成された部分と、複数の有底横孔２９が形成された部分とが、交互に配置されているのである。
【００４９】
また、基体４０についても基体２０と同様であり、長辺方向へ向けて、接続突部４１の基部５１と基部３１以外の部分とが交互に配置され、基部５１が位置する部分には複数の有底縦孔４８が形成され、基部５１以外の部分には複数の有底横孔４９が形成されている。有底孔の位置関係に着目すれば、基体４０では、長辺方向へ向けて、複数の有底縦孔２８が形成された部分と、複数の有底横孔４９が形成された部分とが、交互に配置されているのである。
【００５０】
このように、基体２０、４０では、複数の有底縦孔２８、４８が形成された部分と、複数の有底横孔２９、４９が形成された部分とが交互に配置されているが、全体として見れば、複数の有底孔（有底縦孔２８、４８及び有底横孔２９、４９）が基体２０、４０の全域に形成されており、充分な軽量化がなされている。従って、基礎パッキン１０は、取り扱いの利便性に優れ、材料の使用量を節減してコストダウンを図ることができるのである。
【００５１】
また、基体２０、４０における接続突部２１、４１の基部には、有底横孔２９、４９は形成されず、有底縦孔２８、４８が形成される。従って、基体２０と接続突部２１との境界、及び、基体４０と接続突部４１との境界には、有底横孔２９、４９及び有底縦孔２８、４８が及ぶことはなく、当該境界が面状に保たれる。その結果、基礎パッキン１０によれば、有底孔が一様に配列された基礎パッキン（例えば、図９に示した従来の基礎パッキン等）と比べて、接続部の基部の強度を充分に確保することができ、接続部の基部に割れや欠けが生じるおそれがない。
【００５２】
さらに、基体２０、４０では、複数の有底縦孔２８、４８が形成された部分と、複数の有底横孔２９、４９が形成された部分とが交互に配置されているため、有底孔が一様に配列された基礎パッキン（例えば、図９に示した従来の基礎パッキン等）と比べて、上下方向の圧縮強度を充分に確保することができ、荷重や振動、衝撃等によって座屈してしまうおそれがない。
【００５３】
また、有底縦孔２８、４８及び有底横孔２９、４９が形成された基体２０、４０の肉厚はどの部分においても４ｍｍ程度であり、樋形状を有する接続突部２１、４１の肉厚も４ｍｍ程度である。このように、基礎パッキン１０は、有底縦孔２８、４８及び有底横孔２９、４９が形成されているにも拘わらず、どの部分においても肉厚が均一であるため、局所的に応力が集中してしまうおそれがなく、割れや欠けの発生を防止することができる。
【００５４】
図１及び図２に示すように、基体２０の上面２７及び下面３０の内側の領域には、基体２０の長辺方向に伸びた凹部２４が形成されている。また、基体４０の上面４７及び下面３０の内側の領域には、基体２０の長辺方向に伸びた凹部４４が形成されている。
【００５５】
凹部２４、４４には、それぞれ気密用弾性材２６、４６が嵌め込まれている。気密用弾性材２６、４６は、その全部が凹部２４、４４に埋没するのではなく、一部が凹部２４、４４に埋まっているが、残部は凹部２４、４４から露出している。従って、基体２０、４０と、図示しない基礎又は土台とによって、気密用弾性材２６、４６が経年的に圧縮されても、凹部２４、４４によってその圧縮は緩和され、弾性力が保持される。
【００５６】
また、基体２０の上面２７及び基体４０の上面４７と、接続突部２１、４１の上面とには、基礎パッキン１０と土台（図示せず）との滑りを防止するために、シボ加工が施されている。
【００５７】
図３（ａ）は、接続部１１の分解斜視図であり、図３（ｂ）は、接続部１１の接続した状態を示す斜視図である。
図３（ａ）に示すように、接続突部２１は、１つの底板部２１０と２つの側板部２１１とが一体的に形成され、断面視コ字状の樋形状を有している。また、接続突部４１は、１つの底板部４１０と２つの側板部４１１とが一体的に形成され、断面視コ字状の樋形状を有している。
【００５８】
接続突部２１の側板部２１１の外側面には、上下方向に伸びた突条２１２が形成されている。その一方で、接続突部４１の側板部４１１の内側面には、突条２１２に対応する箇所に、上下方向に伸びた溝条４１２が形成されている。また、接続突部２１の側板部２１１の外側面には、係止片２１３が形成されている。その一方で、接続突部４１の側板部４１１の内側面には、係止片２１３に対応する箇所に矩形凹部４１３が形成されている。さらに、接続突部２１の側板部２１１には凸状体２１４が一体的に形成されている。凸状体２１４は、接続突部２１と接続突部４１とを接続した際に、接続突部４１の底板部４１０に当接する位置に形成されている。
【００５９】
溝条４１２に突条２１２を挿入することにより、接続突部４１内へ接続突部２１を上下方向（図中、二点鎖線で示す矢印の方向）に嵌め込むことができる（図３（ｂ）参照）。
接続突部４１内へ接続突部２１を嵌め込むと、係止片２１３が矩形凹部４１３に係止され、凸状体２１４は底板部４１０に当接する。
【００６０】
基礎パッキン１０によれば、接続突部２１、４１を上下方向に嵌め合うことにより一対の基体２０、４０を接続可能であるため、接続部１１の上部に載置される土台（図示せず）の荷重によって、互いの接続突部２１、４１が堅固に接続されることになる。従って、一対の基体２０、４０の接続強度を充分に確保することができ、振動や衝撃によって基体２０、４０の接続が外れて横ズレが生じてしまうことを防止することができる。なお、基体２０、４０の横ズレは、突条２１２と溝条４１２との係止、係止片２１３と矩形凹部との係止、及び、凸状体２１４と底板部４１０との当接によっても防止される。
【００６１】
なお、本実施形態では、接続部１１を構成する接続突部２１、４１を上下方向に嵌め合う基礎パッキン１０について説明したが、本発明において、接続部は、左右方向に嵌合可能なように構成されていてもよい。
左右方向に嵌合可能な接続部としては、特に限定されるものではないが、例えば、それぞれの基体の長辺内側面から当該基体に対向する他方の基体の長辺内側面へ向けて突出するように、上記基体と一体的に形成された接続突部からなり、一方の接続突部が、筒状体であり、他方の接続突部が、上記一方の接続突部に嵌め込むことが可能な形状の筒状体又は棒状体である接続部等を挙げることができる。
【００６２】
次に、基礎パッキン１０を構成する基体２０、４０について詳述することとする。
図４（ａ）は、基体２０を長辺内側面２５側から見た側面図であり、（ｂ）は、基体２０の平面図であり、（ｃ）は、基体２０を長辺外側面２２側から見た側面図であり、（ｄ）は、基体２０の底面図である。
【００６３】
基体２０は、長さ９１０ｍｍ、幅３５ｍｍ、高さ２０ｍｍの四角柱形状を有している。
基体２０の長辺内側面２５には、断面視コ字状の樋形状を有する４つの接続突部２１が、所定間隔をあけて設けられている。接続突部２１は、基体２０の長辺内側面２５から５０ｍｍ突出する形状を有している。なお、４つの接続突部２１は基体２０と一体的に形成されている。
【００６４】
基体２０の長辺外側面２２には、上下方向に貫通した複数の溝２３が形成されている。溝２３は、深さ６ｍｍの蟻溝形状を有している。基体２０の長辺内側面２５のうち、接続突部２１の基部３１以外の部分には、基体２０の長辺内側面２５から長辺外側面２２へ向かう複数の有底横孔２９が一定間隔をあけて形成されている。基体２０における接続突部２１の基部３１であり、かつ、有底横孔２９が形成されていない部分では、基体２０の下面３０に３つの有底縦孔２８が形成されている。
上面２７及び下面３０の長辺内側面２５側の領域には、長辺方向に伸びた凹部２４が形成されている。凹部２４は、気密用弾性材２６（図示せず）を設けるためのものである。また、基体２０の上面２７と、接続突部２１の上面とには、シボ加工が施されている。
【００６５】
図５（ａ）は、基体４０を長辺外側面４２側から見た側面図であり、（ｂ）は、基体４０の平面図であり、（ｃ）は、基体４０を長辺内側面４５側から見た側面図であり、（ｄ）は、基体４０の底面図である。
【００６６】
基体４０は、基体２０と同様に、長さ９１０ｍｍ、幅３５ｍｍ、高さ２０ｍｍの四角柱形状を有している。基体４０の長辺内側面４５には、断面視コ字状の樋形状を有する４つの接続突部４１が、所定間隔をあけて設けられている。接続突部４１は、基体４０の長辺内側面４５から３２ｍｍ突出する形状を有している。なお、４つの接続突部４１は基体４０と一体的に形成されている。
【００６７】
基体４０の長辺外側面４２には、上下方向に貫通した複数の溝４３が形成されている。溝４３は、深さ６ｍｍの蟻溝形状を有している。基体４０の長辺内側面４５のうち、接続突部４１の基部５１以外の部分には、基体４０の長辺内側面４５から長辺外側面４２に向かう複数の有底横孔４９が一定間隔をあけて形成されている。基体４０における接続突部４１の基部５１であり、かつ、有底横孔４９が形成されていない部分では、基体４０の下面５０に２つの有底縦孔４８が形成されている。
上面４７及び下面５０の長辺内側面４５側の領域には、長辺方向に伸びた凹部４４が形成されている。凹部４４は、気密用弾性材４６（図示せず）を設けるためのものである。また、基体４０の上面４７と、接続突部４１の上面とには、シボ加工が施されている。
【００６８】
基体２０、４０を接続部１１により接続すると、基礎パッキン１０の幅は、１２０ｍｍとなるが、接続部１１を構成する接続突部２１又は接続突部４１の長さ（長辺内側面２５又は長辺内側面４５から突出する長さ）を変更することにより、基礎パッキン１０の幅を変更することができる。例えば、接続突部２１の長さを５０ｍｍから３２ｍｍに変更することにより、基礎パッキン１０の幅を１０２ｍｍに縮小することができる。また、接続突部２１の長さを５０ｍｍから７０ｍｍに変更することにより、基礎パッキン１０の幅を１４０ｍｍに拡大することができる。このように、基体２０の接続突部２１の長さを変更すれば、基体４０に変更を加えなくても、基礎パッキン１０の幅を変更することができる。
【００６９】
従って、幅の異なる複数種類の基礎パッキン１０を製造する場合、基体２０の金型を複数種類製造しておけば、基体４０の金型は１種類で足りるため、製造コストを低減することができる。また、接続突部２１の金型を入子式とすれば、接続突部２１の金型を複数種類製造することにより、基体２０の金型も１種類で足りることになり、さらに製造コストを低減することができる。このように、基礎パッキン１０は、基体２０、４０が接続部１１により接続された構成、すなわち、前後に２分割された構成を有しているため、幅の異なる複数種類の基礎パッキン１０を製造する場合に、製造コストを抑えることができるという利点もある。
【００７０】
図６（ａ）は、図４（ｂ）のＢ−Ｂ線断面図であり、（ｂ）は、図５（ｂ）のＣ−Ｃ線断面図である。
図６（ａ）に示すように、基体２０の上面２７及び下面３０には、気密用弾性材２６（図示せず）が設けられる凹部２４が形成されている。接続突部２１は、底面部２１０と側面部２１１とからなる。基体２０の下面３０に形成された有底縦孔２８は、その一部が下面３０の凹部２４の裏側にまで及んでいる。また、図６（ｂ）に示すように、基体４０の上面４７及び下面５０には、気密用弾性材４６（図示せず）が設けられる凹部４４が形成されている。接続突部４１は、底面部４１０と側面部４１１とからなる。基体４０の下面５０に形成された有底縦孔４８は、その一部が下面５０の凹部４４の裏側にまで及んでいる。
【００７１】
図６に示すように、凹部の裏側にまで及ぶ有底縦孔を形成することにより、さらなる軽量化を図ることができ、また、基体の肉厚を均一化して局所的な応力集中を防止することができる。なお、凹部の裏側にまで及び有底縦孔を形成する方法としては、金型内にスライドコア（金型の開閉に伴い、金型内部でスライドする部分）を設けておけばよい。スライドコアについては、従来公知のものであるから、ここでの説明は省略する。
【００７２】
以上、基礎パッキン１０について説明したが、基礎パッキン１０は、上述したように充分な軽量化が図られているから、建造物の布基礎と木製土台との間の全領域を覆うように設けられる基礎パッキン、例えば、長尺の基礎パッキンとして好適である。
また、基体２０、４０を横方向に貫く貫通孔が形成されていないことから、建造物の外部空間と内部空間との通気を遮蔽する遮蔽型の基礎パッキンとして好適に用いることができる。特に、長尺の基礎パッキンでは、遮蔽型の基礎パッキンと通気型の基礎パッキンとの重量差が顕著に生じることとなるが、本発明によれば、充分な軽量化が図られているため、通気型の基礎パッキンとの重量差が少ない、又は、重量差がない遮蔽型の基礎パッキンとすることができる。
【００７３】
次に、本発明の基礎パッキンの材料について説明する。本発明の基礎パッキンの材料としては、特に限定されるものではなく、例えば、金属材料、樹脂材料等を挙げることができる。金属材料としては、特に限定されるものではないが、例えば、ステンレス、鋳鉄等を挙げることができる。セラミックを用いることとしてもよい。樹脂材料としては、特に限定されるものではないが、例えば、ポリプロピレン、ポリエチレン、アクリロニトリル・ブタジエン・スチレン樹脂（ＡＢＳ）、ポリ塩化ビニル、ナイロン等を挙げることができる。また、樹脂材料として、例えば、天然ゴム（ＮＲ）、スチレン・ブタジエンゴム（ＳＢＲ）、クロロプレンゴム（ＣＲ）等のゴム材料を挙げることができる。これらの材料は、単独で用いてもよく、２種以上を併用してもよい。
【００７４】
基礎パッキンの材料として樹脂材料を用いた場合には、アンカーボルトの位置にあわせて建築現場において容易に接続突部を切断することが可能となるため、アンカーボルトの位置に拘わらず、基礎パッキンを使用することができるという利点がある。
【００７５】
基礎パッキンの材料として、樹脂材料を用いる場合には、無機材料を添加して用いることが望ましい。剛性が高くなり建築材料として好適な硬さとすることができ、光による樹脂材料の脆性化を防止し、さらに、耐水性や耐熱性等を向上させることができるからである。無機材料としては、特に限定されるものではないが、例えば、炭酸カルシウム、含水珪酸マグネシウム、石粉、コンクリート粉体、高炉スラグ、フライアッシュ等を挙げることができる。樹脂材料と無機材料との配合重量比は、１：０．１〜１：３であることが好ましい。また、例えば、フタル酸エステル、ジブチルフタレート等の可塑剤を添加してもよい。
【００７６】
気密用弾性材の材料としては、特に限定されるものではなく、例えば、上述した樹脂材料やゴム材料等を挙げることができる。気密用弾性材を基体の上面及び下面に設ける場合、接着剤により両者を接着してもよく、基体の上面及び下面に凹部が形成されている場合には接着剤を用いずに気密用弾性材を当該凹部に嵌合してもよい。また、気密用弾性材として、例えば、ゴムテープ、ウレタンテープ、発泡樹脂テープ等を用いることとしてもよい。
【図面の簡単な説明】
【００７７】
【図１】本発明の一例である基礎パッキン１０を模式的に示す斜視図である。
【図２】基礎パッキン１０をＡ方向から見た様子を示す斜視図である。
【図３】（ａ）は、接続部１１の分解斜視図であり、（ｂ）は、接続部１１の接続した状態を示す斜視図である。
【図４】（ａ）は、基体２０を長辺内側面２５側から見た側面図であり、（ｂ）は、基体２０の平面図であり、（ｃ）は、基体２０を長辺外側面２２側から見た側面図であり、（ｄ）は、基体２０の底面図である。
【図５】（ａ）は、基体４０を長辺外側面４２側から見た側面図であり、（ｂ）は、基体４０の平面図であり、（ｃ）は、基体４０を長辺内側面４５側から見た側面図であり、（ｄ）は、基体４０の底面図である。
【図６】（ａ）は、図４（ｂ）のＢ−Ｂ線断面図であり、（ｂ）は、図５（ｂ）のＣ−Ｃ線断面図である。
【図７】従来の基礎パッキンの一例を模式的に示す斜視図である。
【図８】コンクリート基礎の上面の全周域を覆うように長尺の基礎パッキンを載置した様子を模式的に示す斜視図である。
【図９】（ａ）は、特許文献４に開示されている基礎パッキンを示す平面図であり、（ｂ）は、（ａ）に示した基礎パッキンのＰ−Ｐ線断面図であり、（ｃ）は、（ｂ）に示した基礎パッキンのＱ−Ｑ線断面図であり、（ｄ）は、（ｂ）に示した基礎パッキンのＲ−Ｒ線断面図である。
【符号の説明】
【００７８】
１０  基礎パッキン
１１  接続部
２０  基体（雄側）
２１  接続突部（雄側）
２２、４２  長辺外側面
２３、４３  溝
２４、４４  凹部
２５、４５  長辺内側面
２６、４６  気密用弾性体
２７、４７  上面
２８、４８  有底縦孔
２９、４９  有底横孔
３０、５０  下面
４０  基体（雌側）
４１  接続突部（雌側）
１００  基礎パッキン
１０１、１０３  窪み
１０２  突起
１０４  溝
１０５  穴
２００  コンクリート基礎
２０１、２０２  部屋となる領域
２０３  玄関となる領域
２１０、４１０  底板部
２１１、４１１  側板部
２１２  突条
２１３  係止片
２１４  凸状体
３００  遮蔽型の基礎パッキン
３０１  換気型の基礎パッキン
３０２  アンカーボルト
４００  基礎パッキン
４０１  甲片
４０２  乙片
４１２  溝条
４１３  矩形凹部
４３０  縦溝
４３２  アンカーボルト通し穴
４３３  前面
４３４  後面
４３７  受け片
４３８  差込片
４３９  補強リブ
【図１】
2005290906.tif 000003
【図２】
2005290906.tif 000004
【図３】
2005290906.tif 000005
【図４】
2005290906.tif 000006
【図５】
2005290906.tif 000007
【図６】
2005290906.tif 000008
【図７】
2005290906.tif 000009
【図８】
2005290906.tif 000010
【図９】
2005290906.tif 000011